(57)【要約】      （修正有）【課題】拡声通話における同時通話性能の向上を図る。【解決手段】親機音声処理部２０５は、親機スピーカから複数の無指向性マイクロホンに入力される送話アナログ音声信号に到達時間差に対応して予め定められた遅延を付与する信号処理を行うことで当該マイクロホンの入力感度に指向性を与える親機指向性制御回路２０５ａと、受話デジタル音声信号の信号電圧を減衰させる受話側損失挿入回路２０５ｂと、送話デジタル音声信号の信号電圧を減衰させる送話側損失挿入回路２０５ｃと、親機音声コーデックに入力される受話デジタル音声信号の音圧レベルと親機音声コーデックから出力される送話デジタル音声信号の音圧レベルとを比較し、当該居室親機から玄関子機への片方向通話又は当該居室親機及び玄関子機間の双方向通話を判別し、送話側損失挿入回路及び受話側損失挿入回路にそれぞれ損失を挿入して減衰レベルを制御する音声送受信制御回路２０５ｄとを備える。【選択図】図２
2015046743.tif 000002
【特許請求の範囲】
【請求項１】
複数の無指向性マイクロホンから構成される子機マイクロホンアレイ及び子機スピーカを有する玄関子機と、前記玄関子機の前記子機マイクロホンアレイ及び前記子機スピーカとの間で通話を行うための音声信号を入出力する複数の無指向性マイクロホンから構成される親機マイクロホンアレイ及び親機スピーカを有する居室親機とを設け、
前記玄関子機は、前記子機マイクロホンアレイに入力された送話アナログ音声信号を送話デジタル音声信号にアナログ／デジタル変換するとともに前記居室親機の前記親機マイクロホンアレイに入力されて伝送されてくる受話デジタル音声信号を受話アナログ音声信号にデジタル／アナログ変換して前記子機スピーカから出力させる子機音声コーデックと、前記子機スピーカから前記複数の無指向性マイクロホンに入力される送話アナログ音声信号に到達時間差に対応して予め定められた遅延を付与する信号処理を行うことで当該マイクロホンの入力感度に指向性を与える子機指向性制御回路とを備え、
前記居室親機は、前記親機マイクロホンアレイに入力された送話アナログ音声信号を送話デジタル音声信号にアナログ／デジタル変換するとともに前記玄関子機の前記子機マイクロホンアレイに入力されて伝送されてくる受話デジタル音声信号を受話アナログ音声信号にデジタル／アナログ変換して前記親機スピーカから出力させる親機音声コーデックと、前記親機音声コーデックから出力される送話デジタル音声信号及び前記親機音声コーデックに入力される前記受話デジタル音声信号の送受信切換制御を行う親機音声処理部とを備え、
前記親機音声処理部には、前記親機スピーカから前記複数の無指向性マイクロホンに入力される送話アナログ音声信号に到達時間差に対応して予め定められた遅延を付与する信号処理を行うことで当該マイクロホンの入力感度に指向性を与える親機指向性制御回路と、前記受話デジタル音声信号の信号電圧を減衰させる受話側損失挿入回路と、前記送話デジタル音声信号の信号電圧を減衰させる送話側損失挿入回路と、前記親機音声コーデックに入力される前記受話デジタル音声信号の音圧レベルと前記親機音声コーデックから出力される前記送話デジタル音声信号の音圧レベルとの比較をもとに当該居室親機から前記玄関子機への片方向通話又は当該居室親機及び前記玄関子機間の双方向通話を判別し、前記送話側損失挿入回路及び前記受話側損失挿入回路にそれぞれ損失を挿入して減衰レベルを制御する音声送受信制御回路とを備えることを特徴とするインターホンシステム。
【発明の詳細な説明】
【技術分野】
【０００１】
本発明は、インターホンシステムに係わり、特に、マイクロホンアレイによる指向性制御と音声処理部とを組合せることで、拡声通話における同時通話を実現することができるインターホンシステムに関する。
【背景技術】
【０００２】
従来から、この種のインターホンシステムとして、（イ）音声スイッチを用いた交互通話、（ロ）エコーキャンセラを用いた同時通話および（ハ）マイクロホンアレイとエコーキャンセラを用いた同時通話が知られている（例えば、特許文献１、２、３等）。
【０００３】
前述の（イ）の方式によれば、送受話信号を観測し所定の判定基準により通話路を制御することで、例えば、選択されなかった通話路に損失を挿入することで、ハウリングが生じることなく拡声通話を行うことができ、また、（ロ）の方式においては、適応フィルタにより擬似エコーを発生させ、マイクロホン入力から減算して音響エコーを抑圧することで同時通話を行うことができ、さらに、（ハ）の方式においては、マイクロホンアレイによる指向性制御で音響帰還量を低減し、エコーキャンセラの抑圧負荷を減らすことで同時通話を行うことができる。
【先行技術文献】
【特許文献】
【０００４】
【特許文献１】特開２０１３−９８７０５号公報
【特許文献２】特開２００９−１３５５９６号公報
【特許文献３】特開２００９−１８２５９４号公報
【発明の概要】
【発明が解決しようとする課題】
【０００５】
しかしながら、（イ）の方式においては、突発性雑音の影響により通話が途切れることがあり、同時通話の実現が難しく、また、（ロ）の方式においては、現実仕様として要求される出力音圧と筐体サイズや筐体音響帰還量の兼ね合いにより、同時通話が難しくなり、即ち、エコーキャンセラだけでは抑圧しきれないという難点があった。さらに、（ハ）の方式においては、指向性制御が非線形処理となるため、エコーキャンセラの構成が複雑となり、実現性が低くなるという難点があった。
【０００６】
本発明は、このような難点を解決するためになされたもので、マイクロホンアレイによる指向性制御と音声処理部とを組合せることで、拡声通話における同時通話性能を向上させることができるインターホンシステムを提供することを目的としている。
【課題を解決するための手段】
【０００７】
本発明のインターホンシステムは、複数の無指向性マイクロホンから構成される子機マイクロホンアレイ及び子機スピーカを有する玄関子機と、玄関子機の子機マイクロホンアレイ及び子機スピーカとの間で通話を行うための音声信号を入出力する複数の無指向性マイクロホンから構成される親機マイクロホンアレイ及び親機スピーカを有する居室親機とを設け、玄関子機は、子機マイクロホンアレイに入力された送話アナログ音声信号を送話デジタル音声信号にアナログ／デジタル変換するとともに居室親機の親機マイクロホンアレイに入力されて伝送されてくる受話デジタル音声信号を受話アナログ音声信号にデジタル／アナログ変換して子機スピーカから出力させる子機音声コーデックと、子機スピーカから複数の無指向性マイクロホンに入力される送話アナログ音声信号に到達時間差に対応して予め定められた遅延を付与する信号処理を行うことで当該マイクロホンの入力感度に指向性を与える子機指向性制御回路とを備え、居室親機は、親機マイクロホンアレイに入力された送話アナログ音声信号を送話デジタル音声信号にアナログ／デジタル変換するとともに玄関子機の子機マイクロホンアレイに入力されて伝送されてくる受話デジタル音声信号を受話アナログ音声信号にデジタル／アナログ変換して親機スピーカから出力させる親機音声コーデックと、親機音声コーデックから出力される送話デジタル音声信号及び親機音声コーデックに入力される受話デジタル音声信号の送受信切換制御を行う親機音声処理部とを備え、親機音声処理部には、親機スピーカから複数の無指向性マイクロホンに入力される送話アナログ音声信号に到達時間差に対応して予め定められた遅延を付与する信号処理を行うことで当該マイクロホンの入力感度に指向性を与える親機指向性制御回路と、受話デジタル音声信号の信号電圧を減衰させる受話側損失挿入回路と、送話デジタル音声信号の信号電圧を減衰させる送話側損失挿入回路と、親機音声コーデックに入力される受話デジタル音声信号の音圧レベルと親機音声コーデックから出力される送話デジタル音声信号の音圧レベルとの比較をもとに当該居室親機から玄関子機への片方向通話又は当該居室親機及び玄関子機間の双方向通話を判別し、送話側損失挿入回路及び受話側損失挿入回路にそれぞれ損失を挿入して減衰レベルを制御する音声送受信制御回路とを備えるものである。
【発明の効果】
【０００８】
本発明のインターホンシステムによれば、マイクロホンアレイによる指向性制御と音声処理部とを組み合わせ、入力信号（送受話デジタル音声信号）の大きさ等を解析して通話路の状態を判断し、通話路全体に挿入する総損失量を必要に応じて切り替えることで、拡声通話における同時通話を実現することができる。
【図面の簡単な説明】
【０００９】
【図１】本発明の一実施例におけるインターホンシステムのブロック図。
【図２】本発明における居室親機の音声処理部の具体的な構成を示すブロック図。
【図３】本発明の一実施例における子機スピーカ（又は親機スピーカ）から子機マイクロホン（又は親機マイクロホン）への音声帰還の態様を示す模式図。
【発明を実施するための形態】
【００１０】
以下、本発明のインターホンシステムを適用した最良の実施の形態例について、図面を参照して説明する。
【００１１】
図１は、本発明の一実施例におけるインターホンシステムの全体構成を示すブロック図である。
【００１２】
同図において、本発明のインターホンシステムには、住戸外に設置され来訪者が住戸内に在室中の居住者を呼び出して通話を成立させるための玄関子機１と、住戸内に設置され、有線の伝送路Ｌ1a又は無線の伝送路Ｌ1bを経由して接続される玄関子機１からの呼び出しに応答した居住者が来訪者との間で通話を成立させるための居室親機２とが設けられている。
【００１３】
また、玄関子機１には、子機操作部１００、映像撮像部１０１、子機映像処理部１０２、第１の無指向性マイクロホン（以下「第１の子機マイクロホン１０３ａ」という。）と第２の無指向性マイクロホン（以下「第２の子機マイクロホン１０３ｂ」という。）から構成される子機マイクロホンアレイ１０３、子機スピーカ１０４、子機音声コーデック１０５、子機指向性制御回路１０６及び子機Ｉ／Ｆ（インターフェース）１０７が備えられている。
【００１４】
この玄関子機１において、子機操作部１００は、来訪者が居住者を呼び出すために操作するものであり、例えば、呼出ボタンにて構成されている。
【００１５】
映像撮像部１０１は、呼出操作を行った来訪者の映像や住戸外の周囲近傍の映像（監視映像）を撮像するためのものであり、例えば、ＣＣＤ、ＣＭＯＳ等の各種の映像撮像媒体にて構成されている。また、子機映像処理部１０２は、映像撮像部１０１にて撮像された映像である映像信号について、例えば、ＦＭ変調、増幅等の所定の信号処理を行うためのものである。
【００１６】
子機マイクロホンアレイ１０３及び子機スピーカ１０４は、来訪者が居住者との間で通話を成立させるためのアナログ音声（送話音声、受話音声）を入出力するものである。
【００１７】
また、子機音声コーデック１０５は、子機マイクロホンアレイ１０３に入力された送話音声であるアナログ音声信号をデジタル音声信号にアナログ／デジタル変換（Ａ／Ｄ変換）するとともに、居室親機２の後述する親機マイクロホンアレイ２０２に入力され有線の伝送路Ｌ1a又は無線の伝送路Ｌ1bを経由して伝送されてくる受話音声であるデジタル音声信号をアナログ音声信号にデジタル／アナログ変換（Ｄ／Ａ変換）して子機スピーカ１０４から出力させるためのものである。
【００１８】
子機指向性制御回路１０６は、子機スピーカ１０４から第１、第２の子機マイクロホン１０３ａ、１０３ｂに入力される送話アナログ音声信号に到達時間差に対応して予め定められた遅延を付与する信号処理を行うことで当該マイクロホンの入力感度に指向性を与えるためのものである。
【００１９】
子機Ｉ／Ｆ１０７は、子機操作部１００から有線の伝送路Ｌ1a又は無線の伝送路Ｌ1bへの信号伝送ラインと、子機映像処理部１０２から有線の伝送路Ｌ1a又は無線の伝送路Ｌ1bへの信号伝送ラインと、子機指向性制御回路１０６から有線の伝送路Ｌ1a又は無線の伝送路Ｌ1bへの信号伝送ラインとをそれぞれ形成するためのものである。
【００２０】
一方、居室親機２には、表示部２００、親機映像処理部２０１、第１の無指向性マイクロホン（以下「第１の親機マイクロホン２０２ａ」という。）と第２の無指向性マイクロホン（以下「第２の親機マイクロホン２０２ｂ」という。）から構成される親機マイクロホンアレイ２０２、親機スピーカ２０３、親機音声コーデック２０４、音声処理部２０５、親機操作部２０６、ＣＰＵ２０７及び親機Ｉ／Ｆ２０８が備えられている。
【００２１】
この居室親機２において、表示部２００は、ＣＰＵ２０７により（出画状態に）制御され、玄関子機１の映像撮像部１０１にて撮像された映像を出画するばかりでなく、来訪者による呼び出しがある旨の呼出表示を行うことができ、例えば、ＬＣＤ、ＰＤＰ、有機ＥＬディスプレイ等の各種の出画表示媒体にて構成されている。また、親機映像処理部２０１は、ＣＰＵ２０７により制御され、有線の伝送路Ｌ1a又は無線の伝送路Ｌ1bを経由して玄関子機１から伝送されてくる映像信号について、例えば、ＦＭ復調、増幅等の所定の信号処理を行い、玄関子機１の映像撮像部１０１にて撮像された映像を表示部２００に出画させるためのものである。
【００２２】
親機マイクロホンアレイ２０２及び親機スピーカ２０３は、居住者が来訪者との間で通話を成立させるためのアナログ音声（送話音声、受話音声）を入出力するものであり、この親機スピーカ２０３は、前述の通話機能のみならず来訪者による呼び出しがある旨の呼出報知を行うことができる。また、親機音声コーデック２０４は、ＣＰＵ２０７により制御され、親機マイクロホンアレイ２０２に入力された送話音声であるアナログ音声信号をデジタル音声信号にアナログ／デジタル変換するとともに、玄関子機１の子機マイクロホンアレイ１０３に入力され有線の伝送路Ｌ1a又は無線の伝送路Ｌ1bを経由して伝送されてくる受話音声であるデジタル音声信号をアナログ音声信号にデジタル／アナログ変換して親機スピーカ２０３から出力させるためのものである。
【００２３】
音声処理部２０５は、ＣＰＵ２０７により制御され、親機音声コーデック２０４から有線の伝送路Ｌ1a又は無線の伝送路Ｌ1bへの送話ラインＬ2a上を伝送される送話デジタル音声信号と、有線の伝送路Ｌ1a又は無線の伝送路Ｌ1bから親機音声コーデック２０４への受話ラインＬ2b上を伝送される受話デジタル音声信号との送受信の動作について、切り換え制御するためのものである。
【００２４】
親機操作部２０６は、ＣＰＵ２０７により操作検出され、来訪者による玄関子機１からの呼び出しがあることを確認した居住者が応答し、親機マイクロホンアレイ２０２及び親機スピーカ２０３の使用による通話を成立させるための応答操作、又は成立中の通話を終了するための終話操作等を行うものであり、例えば、通話ボタンにて構成されている。この親機操作部２０６としては、居室親機２の筐体面（図示せず。）に設けられる押圧ボタンや表示部２００の前面に設けられるタッチパネル（図示せず。）等が好適とされる。
【００２５】
ＣＰＵ２０７は、居室親機２の構成各部を制御するためのものである。
【００２６】
また、親機Ｉ／Ｆ２０８は、有線の伝送路Ｌ1a又は無線の伝送路Ｌ1bから親機映像処理部２０１への信号伝送ラインと、有線の伝送路Ｌ1a及び（送話ラインＬ2a又は受話ラインＬ2bを経由して）音声処理部２０５間の信号伝送ライン、或いは無線の伝送路Ｌ1b及び（送話ラインＬ2a又は受話ラインＬ2bを経由して）音声処理部２０５間の信号伝送ラインと、有線の伝送路Ｌ1a及びＣＰＵ２０７間の信号伝送ライン、或いは無線の伝送路Ｌ1b及びＣＰＵ２０７間の信号伝送ラインとをそれぞれ形成するためのものである。
【００２７】
次に、図２のブロック図を参照して、居室親機２の音声処理部２０５の具体的な構成について説明する。
【００２８】
同図において、この音声処理部２０５には、親機指向性制御回路２０５ａ、受話側損失挿入回路２０５ｂ、送話側損失挿入回路２０５ｃおよび音声送受信制御回路２０５ｄが備えられている。
【００２９】
この音声処理部２０５において、親機指向性制御回路２０５ａは、親機音声コーデック２０４から親機Ｉ／Ｆ２０８への送話ラインＬ2a上に設けられ、親機スピーカ２０３から第１、第２の親機マイクロホン２０２ａ、２０２ｂに入力される送話アナログ音声信号に到達時間差に対応して予め定められた遅延を付与する信号処理を行うことで当該マイクロホンの入力感度に指向性を与えるものである。また、受話側損失挿入回路２０５ｂは、親機Ｉ／Ｆ２０８から親機音声コーデック２０４への受話ラインＬ2b上に設けられ、（来訪者の）受話音声であるデジタル音声信号（受話デジタル音声信号）の信号電圧を減衰させるにあたり、この信号電圧が音声送受信制御回路２０５ｄにより制御されるものである。
【００３０】
さらに、送話側損失挿入回路２０５ｃは、親機音声コーデック２０４から親機Ｉ／Ｆ２０８への送話ラインＬ2a上に設けられ、（居住者の）送話音声であるデジタル音声信号（送話デジタル音声信号）の信号電圧を減衰させるにあたり、この信号電圧が音声送受信制御回路２０５ｄにより制御されるものである。
【００３１】
また、音声送受信制御回路２０５ｄは、親機音声コーデック２０４に入力される受話デジタル音声信号の音圧レベルと親機音声コーデック２０４から出力される送話デジタル音声信号の音圧レベルとの比較をもとに当該居室親機２から玄関子機１への片方向通話又は当該居室親機２及び玄関子機１間の双方向通話を判別し、送話側損失挿入回路２０５ｃ及び受話側損失挿入回路２０５ｂにそれぞれ損失を挿入して減衰レベルを制御するためのものである。
【００３２】
図３は、本発明の一実施例における子機スピーカ（又は親機スピーカ）から子機マイクロホン（又は親機マイクロホン）への音声帰還の態様を示す模式図である。
【００３３】
先ず、同図においては、子機スピーカ１０４および親機スピーカ２０３をＳＰ、第１の子機マイクロホン１０３ａおよび第１の親機マイクロホン２０２ａをＭ１、第２の子機マイクロホン１０３ｂおよび第２の親機マイクロホン２０２ｂをＭ２として表示されており、これらのスピーカＳＰ、第１マイクロホンＭ１および第２のマイクロホンＭ２は音声入力面としての同一の匡体面に配置されている。ここで、スピーカＳＰから第１のマイクロホンＭ１に対する音声信号の到達時間Ｔ１がスピーカＳＰから第２のマイクロホンＭ２に対する音声信号の到達時間Ｔ２よりも大きい場合においては、第１マイクロホンＭ１、第２のマイクロホンＭ２間距離をｄ、第２のマイクロホンＭ２における音声入力面と波面とのなす角をθ、音速をｃ（３４０ｍ／ｓ）とすると、第１のマイクロホンＭ１から子機指向性制御回路１０６（又は親機指向性制御回路２０５ａ）に含まれる演算回路までの遅延時間（Ｔ１−Ｔ２＝ｄｓｉｎθ／ｃ）が第２のマイクロホンＭ２から子機指向性制御回路１０６（又は親機指向性制御回路２０５ａ）に含まれる演算回路までの遅延時間（０秒）よりも大きくなるように設定されている。すなわち、スピーカＳＰから第１のマイクロホンＭ１に対する音声信号の到達時間Ｔ１がスピーカＳＰから第２のマイクロホンＭ２に対する音声信号の到達時間Ｔ２よりも大きい場合は、第１のマイクロホンＭ１から演算回路までの遅延時間が大とされ、第２のマイクロホンＭ２から演算回路までの遅延時間が小（又は０）となるように設定される。
【００３４】
次に、このように構成された本発明の実施例によるインターホンシステムの具体的な動作について説明する。
【００３５】
先ず、図１に示す居室親機２が設置された住戸内に在室中の居住者を呼び出すために、住戸外に居る来訪者が玄関子機１の子機操作部１００を使用して所定の呼出操作を行うと、この子機操作部１００にて生成された呼出信号が、子機Ｉ／Ｆ１０７、有線の伝送路Ｌ1a又は無線の伝送路Ｌ1b、居室親機２の親機Ｉ／Ｆ２０８を経由してＣＰＵ２０７に伝送される。
【００３６】
居室親機２のＣＰＵ２０７は、玄関子機１からの呼出信号を受信すると、来訪者による呼び出しがある旨の呼出音や音声メッセージ等を親機スピーカ２０３から出力させて呼出報知を行うとともに、表示部２００及び親機映像処理部２０１と玄関子機１の映像撮像部１０１及び子機映像処理部１０２とがそれぞれ能動となるように制御する。
【００３７】
玄関子機１の映像撮像部１０１は、呼出操作を行った来訪者の映像（住戸外の周囲近傍の映像を含む。）の撮像を開始して映像信号を生成する。この映像信号は、子機映像処理部１０２にて例えば、ＦＭ変調、増幅等の所定の信号処理が行われた後、子機Ｉ／Ｆ１０７、有線の伝送路Ｌ1a又は無線の伝送路Ｌ1b、居室親機２の親機Ｉ／Ｆ２０８を経由して親機映像処理部２０１に伝送される。また、親機映像処理部２０１は、受信した映像信号について例えば、ＦＭ復調、増幅等の所定の信号処理を行うことにより、玄関子機１の映像撮像部１０１にて撮像された来訪者の映像（住戸外の周囲近傍の映像を含む。）が表示部２００に出画されることになる。なお、表示部２００には、前述の映像の出画のみならず、来訪者による呼び出しがある旨の呼出メッセージや絵データ等を、ＣＰＵ２０７の制御により表示させることもできる。
【００３８】
この後、来訪者による玄関子機１からの呼び出しがあることを当該来訪者の判別と併せて確認できた居住者が、居室親機２の親機操作部２０６を使用して所定の応答操作を行うと、この操作を検出したＣＰＵ２０７は、親機音声コーデック２０４及び音声処理部２０５と玄関子機１の子機音声コーデック１０５及び子機指向性制御回路１０６とがそれぞれ能動となるように制御する。
【００３９】
具体的な音声信号の送受信動作として、図１に示す居室親機２の親機マイクロホンアレイ２０２へ入力された居住者による送話音声のアナログ音声信号であり親機音声コーデック２０４を経由してアナログ／デジタル変換された送話デジタル音声信号は、図２に示す音声処理部２０５の親機指向性制御回路２０５ａへ入力される。ここで、当該親機指向性制御回路２０５ａにおいて、図３に示すように、親機スピーカ２０３（ＳＰ）から第１、第２の親機マイクロホン２０２ａ（Ｍ１）、２０２ｂ（Ｍ２）に入力される送話アナログ音声信号に到達時間差（「Ｔ１−Ｔ２」）に等しい遅延を付与する信号処理を行うとともに、演算回路で減算処理を行うことで当該マイクロホンの入力感度に指向性が与えられる。
【００４０】
このようにして、マイクロホンへの入力感度に指向性が与えられた送話デジタル音声信号は、音声送受信制御回路２０５ｄに送出される。
【００４１】
一方、図１に示す玄関子機１の子機マイクロホンアレイ１０３へ入力された来訪者による送話音声のアナログ音声信号であり子機音声コーデック１０５を経由してアナログ／デジタル変換された送話デジタル音声信号は、図１に示す子機指向性制御回路１０６へ入力される。ここで、当該子機指向性制御回路１０６において、図３に示すように、親機指向性制御回路２０５ａと同様に、子機スピーカ１０４（ＳＰ）から第１、第２の子機マイクロホン１０３ａ（Ｍ１）、１０３ｂ（Ｍ２）に入力される送話アナログ音声信号に到達時間差（「Ｔ１−Ｔ２」）に等しい遅延を付与する信号処理を行うことで当該マイクロホンの入力感度に指向性が与えられる。
【００４２】
このようにして、マイクロホンへの入力感度に指向性が与えられた送話デジタル音声信号は、子機Ｉ／Ｆ１０７、有線の伝送路Ｌ1a又は無線の伝送路Ｌ1b、居室親機２の親機Ｉ／Ｆ２０８を経由して図２に示す音声処理部２０５の受話側損失挿入回路２０５ｂに伝送される。
【００４３】
ここで、図２に示す音声処理部２０５の音声送受信制御回路２０５ｄにおいて、親機音声コーデック２０４に入力される受話デジタル音声信号の音圧レベル（以下「図２に示すＡ点の音圧レベル」という。）と親機音声コーデック２０４から出力される送話デジタル音声信号の音圧レベル（以下「図２に示すＢ点の音圧レベル」という。）とを比較し、例えば、図２に示すＡ点の音圧レベルと図２に示すＢ点の音圧レベルとを比較し、Ａ点の音圧レベルがＢ点の音圧レベルに対して十分大きい場合は片側通話の状態と判定し、音声送受信制御回路２０５ｄの制御により送話側損失挿入回路２０５ｃに１２ｄＢ程度の損失（総挿入損失量）を挿入すると共に受話側損失挿入回路２０５ｂにも０ｄＢ程度の損失（総挿入損失量）を挿入して減衰レベルを制御する。なお、音声送受信制御回路２０５ｄがない場合の総挿入損失量は４６ｄＢである。
【００４４】
一方、Ａ点の音圧レベルとＢ点の音圧レベルとを比較し、Ａ点の音圧レベルがＢ点の音圧レベルと同等の場合は同時通話の状態と判定し、音声送受信制御回路２０５ｄの制御により送話側損失挿入回路２０５ｃおよび受話側損失挿入回路２０５ｂにそれぞれ６ｄＢ程度の少ない損失量（総挿入損失量）を挿入して減衰レベルを制御する。
【００４５】
以上のように、本発明のインターホンシステムにおいては、マイクロホンアレイによる指向性制御により十分な分離性能が得られることで、スピーカーからマイクロホンへの音響帰還量を十分抑圧することができ、また、音声処理部による通話路制御と少量の損失（総挿入損失量）の挿入により、ハウリングが生じることなく同時通話のような拡声通話を実現することができる。従って、本発明のインターホンシステムによれば、マイクロホンアレイによる指向性制御と音声処理部との組み合わせにより、入力信号（送受話デジタル音声信号）の大きさ等を解析して通話路の状態を判断し、通話路全体に挿入する総挿入損失量を必要に応じて切り替えることで、拡声通話における同時通話を実現することができる。
【００４６】
本発明のインターホンシステムにおいては、特定の実施の形態をもって説明してきたが、この形態に限定されるものでなく、本発明の効果を奏する限り、これまで知られた如何なる構成のインターホンシステム、例えば、次のようなインターホンシステムであっても採用できることはいうまでもないことである。
【００４７】
第１に、前述の実施例においては、子機マイクロホンアレイおよび親機マイクロホンアレイとして、それぞれ２個のマイクロホンを使用しているが、これらのマイクロホンは２個に限定されず、それぞれ３個以上のマイクロホンを使用しても同等の効果を奏する。
【００４８】
第２に、前述の実施例においては、図２に示すＡ点の音圧レベルとＢ点の音圧レベルの大きさの比較によって通話状態を判定しているが、このような通話状態の判定に限定されず、例えば図２に示すＡ点と音声送受信制御回路２０５ｄとの間に受話レベル検波器を搭載し、図２に示すＢ点と音声送受信制御回路２０５ｄとの間に送話レベル検波器を搭載することで、通話状態を判定してもよい。
【００４９】
第３に、前述の実施例における送話アナログ音声信号の到達時間や信号電圧の減衰量等の数値は一例であって、これらの数値はマイクロホンの個数、マイクおよびマイクロホンの配置等によっても変わり得るものでこれに限定されない。
【符号の説明】
【００５０】
１・・・玄関子機
１０３・・・子機マイクロホンアレイ
１０３ａ・・・第１の子機マイクロホン
１０３ｂ・・・第２の子機マイクロホン
１０４・・・子機スピーカ
１０５・・・子機音声コーデック
１０６・・・子機指向性制御回路
２・・・居室親機
２０２・・・親機マイク
２０２ａ・・・第１の親機マイクロホン
２０２ｂ・・・第２の親機マイクロホン
２０３・・・親機スピーカ
２０４・・・親機音声コーデック
２０５・・・音声処理部
２５０ａ・・・親機指向性制御回路
２５０ｂ・・・受話側損失挿入回路
２５０ｃ・・・送話側損失挿入回路
２５０ｄ・・・音声送受信制御回路
Ｌ1a・・・有線の伝送路
Ｌ1b・・・無線の伝送路
Ｌ2a・・・送話ライン
Ｌ2b・・・受話ライン
【図１】
2015046743.tif 000003
【図２】
2015046743.tif 000004
【図３】
2015046743.tif 000005